(57)【要約】【課題】汎用性を向上させることが可能な車載カメラ用ウォッシャノズルを提供する。【解決手段】車載カメラ用ウォッシャノズル２０は、導入口２３ａと、該導入口２３ａから導入された洗浄液Ｗを案内する流通路２３ｂとを有する固定側部材２１を備える。また、車載カメラ用ウォッシャノズル２０は、流通路２３ｂと連通された連通路４１ａを有し、その連通状態を保持したまま固定側部材２１に対して摺動可能に設けられた摺動部４１と、摺動部４１と一体に動作可能であり、連通路４１ａを介して送給された洗浄液Ｗを噴射する噴射口４２ａを有するノズル部４２とを有する可動ノズル部材２２とを備える。【選択図】図２
2013018404.tif 000002
【特許請求の範囲】
【請求項１】
導入口から導入された洗浄液を、車体に取り付けられる車載カメラの撮像面に噴射する車載カメラ用ウォッシャノズルであって、
前記導入口と、該導入口から導入された洗浄液を案内する流通路とを有する固定側部材と、
前記流通路と連通する連通路を有し、その連通状態を保持したまま前記固定側部材に対して摺動可能に設けられた摺動部と、前記摺動部と一体に動作可能であり、前記連通路を介して送給された洗浄液を噴射する噴射口を有するノズル部とを有する可動ノズル部材と
を備えていることを特徴とする車載カメラ用ウォッシャノズル。
【請求項２】
請求項１に記載の車載カメラ用ウォッシャノズルにおいて、
前記ノズル部は、前記摺動部から前記撮像面に向けて延出され先端部に前記噴射口を有するパイプ状に形成されていることを特徴とする車載カメラ用ウォッシャノズル。
【請求項３】
請求項１又は２に記載の車載カメラ用ウォッシャノズルにおいて、
前記ノズル部は、前記摺動部とは別部材で構成されていることを特徴とする車載カメラ用ウォッシャノズル。
【請求項４】
請求項１〜３のいずれか１項に記載の車載カメラ用ウォッシャノズルにおいて、
前記固定側部材は、その少なくとも一部が前記車体に設けられたガーニッシュと前記車体との間に形成される空間に配置されていることを特徴とする車載カメラ用ウォッシャノズル。
【請求項５】
請求項４に記載の車載カメラ用ウォッシャノズルにおいて、
前記固定側部材は、前記ガーニッシュに固定されていることを特徴とする車載カメラ用ウォッシャノズル。
【請求項６】
請求項１〜５のいずれか１項に記載の車載カメラ用ウォッシャノズルにおいて、
前記摺動部は球状をなし、前記固定側部材に設けられた球状凹部に摺動可能に嵌め合わされていることを特徴とする車載カメラ用ウォッシャノズル。
【発明の詳細な説明】
【技術分野】
【０００１】
本発明は、車載カメラ用ウォッシャノズル及び車載カメラ洗浄システムに関するものである。
【背景技術】
【０００２】
車両周囲の状況を撮像する車載カメラを搭載した車両には、車載カメラで撮像した外部映像をナビゲーション用のモニタに表示することにより、運転者の車両周囲の確認を支援するものがある。この車載カメラは、車両の外部に備えられることが多く、車載カメラの前面に雨滴、泥、塵埃等の異物が付着することがある。そして、車載カメラの撮像面に異物が付着すると、当該車載カメラにて撮像した外部映像にその異物が映り込むため、鮮明な外部映像を得られなくなるという問題がある。そこで、例えば特許文献１に記載されているように、車載カメラの撮像面を清掃する洗浄システムを備えることが考えられている。
【０００３】
特許文献１の洗浄システムでは、車載カメラの上部にウォッシャノズルが設けられ、そのウォッシャノズルの吐出口をカメラの撮像面（特許文献１中、前面ガラス）に向けるべく、該撮像面近傍まで延出させている。そして、ウォッシャノズルの吐出口から洗浄液を撮像面に吹き付けてその撮像面の汚れを除去するようになっている。
【先行技術文献】
【特許文献】
【０００４】
【特許文献１】特開２００１−１７１４９１号公報
【発明の概要】
【発明が解決しようとする課題】
【０００５】
しかしながら、上記特許文献１の洗浄システムでは、洗浄液を撮像面に好適に供給するためにウォッシャノズルの吐出口を撮像面に対して極めて近く設定する必要があるため、車種による車載カメラの全長等の違いに応じて専用のウォッシャノズルをそれぞれ設計しなければならず、汎用性を欠くものとなっていた。
【０００６】
本発明は、上記課題を解決するためになされたものであって、その目的は、汎用性を向上させることが可能な車載カメラ用ウォッシャノズル及び車載カメラ洗浄システムを提供することにある。
【課題を解決するための手段】
【０００７】
上記課題を解決するために、請求項１に記載の発明は、導入口から導入された洗浄液を、車体に取り付けられる車載カメラの撮像面に噴射する車載カメラ用ウォッシャノズルであって、前記導入口と、該導入口から導入された洗浄液を案内する流通路とを有する固定側部材と、前記流通路と連通する連通路を有し、その連通状態を保持したまま前記固定側部材に対して摺動可能に設けられた摺動部と、前記摺動部と一体に動作可能であり、前記連通路を介して送給された洗浄液を噴射する噴射口を有するノズル部とを有する可動ノズル部材とを備えていることを特徴とする。
【０００８】
この発明では、可動ノズル部材は、摺動部とノズル部とが一体に動作可能に構成され、その摺動部は固定側部材に対して摺動可能に組み付けられるため、洗浄液を噴射するノズル部の噴射口の向きが車載カメラの撮像面を向くように調整することが可能となる。これにより、形状、サイズ又は取付角度等によって撮像面の位置や向きが異なる種々の車載カメラに対して、可動ノズル部材の位置調整を行って洗浄液の噴射方向を変更することで、同一のウォッシャノズルを適用可能となり、汎用性を向上させることが可能となる。
【０００９】
請求項２に記載の発明は、請求項１に記載の車載カメラ用ウォッシャノズルにおいて、前記ノズル部は、前記摺動部から前記撮像面に向けて延出され先端部に前記噴射口を有するパイプ状に形成されていることを特徴とする。
【００１０】
この発明では、可動ノズル部材の噴射口の向きを変えるとき、パイプ状のノズル部を摘んで動かすことが可能となり、その結果、洗浄液の噴射方向を容易に変更することができる。
【００１１】
請求項３に記載の発明は、請求項１又は２に記載の車載カメラ用ウォッシャノズルにおいて、前記ノズル部は、前記摺動部とは別部材で構成されていることを特徴とする。
この発明では、例えば、車載カメラの形状やサイズ等によって洗浄液を撮像面に好適に噴射できない場合に、ノズル部だけを変更し、固定側部材や摺動部は共用して利用することが可能となるため、設計変更の手間を省くことができる。
【００１２】
請求項４に記載の発明は、請求項１〜３のいずれか１項に記載の車載カメラ用ウォッシャノズルにおいて、前記固定側部材は、その少なくとも一部が前記車体に設けられたガーニッシュと前記車体との間に形成される空間に配置されていることを特徴とする。
【００１３】
この発明では、ウォッシャノズルの少なくとも一部がガーニッシュにて覆われる構成となるため、機能的で意匠性に乏しくなりがちなウォッシャノズルが視認されにくくなり、車体の外観意匠が損なわれることを抑制することができる。
【００１４】
請求項５に記載の発明は、請求項４に記載の車載カメラ用ウォッシャノズルにおいて、前記固定側部材は、前記ガーニッシュに固定されていることを特徴とする。
この発明では、固定側部材がガーニッシュに固定されるため、車体側に固定する構成と比べて固定側部材を容易に組み付けることができる。
【００１５】
請求項６に記載の発明は、請求項１〜５のいずれか１項に記載の車載カメラ用ウォッシャノズルにおいて、前記摺動部は球状をなし、前記固定側部材に設けられた球状凹部に摺動可能に嵌め合わされていることを特徴とする。
【００１６】
この発明では、固定側部材に対する摺動部の摺動方向（即ち、可動ノズル部材の調整方向）が１つの方向に縛られないため、より多種の車載カメラに対応した可動ノズル部材の噴射方向の調整が可能となる。
【発明の効果】
【００１７】
従って、上記記載の発明によれば、車載カメラ用ウォッシャノズルの汎用性を向上させることが可能となる。
【図面の簡単な説明】
【００１８】
【図１】本実施形態の車載カメラ洗浄システムの概略構成図。
【図２】車体後部の部分断面図。
【図３】車載カメラ及び車載カメラ用ウォッシャノズルの分解斜視図。
【図４】車載カメラ用ウォッシャノズルの作用を説明するための部分断面図。
【図５】別例の車載カメラ用ウォッシャノズルを説明するための部分断面図。
【発明を実施するための形態】
【００１９】
以下、本発明を具体化した一実施形態を図面に従って説明する。
図１に示すように、本実施形態の車載カメラ洗浄システム１のウォッシャタンク３は、車両２のエンジンルーム内に設置されている。ウォッシャタンク３には、その内部に洗浄液Ｗが貯留されるとともに、ウォッシャタンク３の側壁には、筒状のインレット（図示略）がウォッシャタンク３内に挿入された状態でポンプ装置４が装着されている。ポンプ装置４には、車両２のフロントガラス２ａに洗浄液Ｗを噴射するフロントウォッシャノズル（フロントノズル）５と、車両２のリヤガラス２ｂに洗浄液Ｗを噴射するリヤウォッシャノズル（リヤノズル）６とがそれぞれホース７ａ，７ｂを介して接続されている。そして、車室内に配置された操作スイッチ８の操作に基づいてポンプ装置４が作動され、ポンプ装置４のインレットから吸入された洗浄液Ｗがフロントノズル５からフロントガラス２ａに、若しくはリヤノズル６からリヤガラス２ｂに向けて択一的に噴射されるようになっている。
【００２０】
また、車両２には、カーナビゲーション装置が搭載され、地図等の表示がなされるナビゲーション用のモニタ９が車室内に備えられるとともに、車両２の後部に備えられる車載カメラ（以下、単にカメラと言う）１０にて撮影された車両後方の外部映像が、例えば車両後進時にそのモニタ９に表示されるようになっている。
【００２１】
図２に示すように、本実施形態のカメラ１０は、車体Ｐ（ボディパネル）のカメラ固定部Ｐａに固定されたベース部１１と、ベース部１１に固定された略立方体状をなすハウジング１２とを有している。ハウジング１２の前面には、内部の撮像素子がレンズ（ともに図示略）を介して臨む円形状の撮像面１３が構成されている。車体Ｐのカメラ固定部Ｐａは、カメラ１０が固定される固定面が車体後方下側に向くように傾斜しており、そのカメラ固定部Ｐａに固定されたカメラ１０のハウジング１２は、前面の撮像面１３が後方下部を撮像するように傾斜配置されている。
【００２２】
また、車体Ｐの後部において、カメラ１０の上側位置には、該カメラ１０の撮像面１３に付着した雨滴や泥等の異物を除去すべく洗浄液Ｗを吐出する車載カメラ用ウォッシャノズル（以下、単にカメラ用ノズルと言う）２０が配置されている。カメラ用ノズル２０は、図２及び図３に示すように、カメラ１０の根本部分を覆うように車体Ｐの後部に設けられたガーニッシュＧに対してねじＳとナットＮにて締結固定された固定側部材２１と、固定側部材２１に組み付けられた可動ノズル部材２２とを備えている。
【００２３】
固定側部材２１は、洗浄液Ｗを送給するホース７ｃと接続される接続筒部２３が形成された第１挟持部材２４を有している。第１挟持部材２４は、基部２５と、基部２５から延びる接続筒部２３とを有している。接続筒部２３の先端部は、ホース７ｃからの洗浄液Ｗを導入する導入口２３ａとなっており、接続筒部２３の内側は洗浄液Ｗを案内する流通路２３ｂとなっている。基部２５の反接続筒部側の端面２５ａには、流通路２３ｂと連通する略半球状の保持凹部２６が凹設されている。また、第１挟持部材２４には、基部２５から車幅方向両側にそれぞれ延出された固定片２７が形成され、各固定片２７にはねじ挿通孔２７ａが形成されている。この第１挟持部材２４の基端側端面（基部２５の端面２５ａ及び固定片２７の端面）は平面状をなしており、この端面に第２挟持部材３１が当接されている。
【００２４】
第２挟持部材３１は、第１挟持部材２４の基端側端面の形状に対応する形状をなしており、第１挟持部材２４の一対の固定片２７とそれぞれ当接する一対の固定片３２を有している。第１挟持部材２４の固定片２７と同様に、各固定片３２にはねじ挿通孔３２ａが形成されている。第２挟持部材３１の車幅方向中央には延出部３３が形成され、この延出部３３の第１挟持部材２４側の端面には、略半球状の保持凹部３４が形成されている。この延出部３３は、基部２５の端面２５ａと当接しており、その保持凹部３４は、第１挟持部材２４側の保持凹部２６とで可動ノズル部材２２の球状の摺動部４１を挟持している。この各保持凹部２６，３４が合わさってできる空間は、球状の摺動部４１を保持すべく略球状に形成された凹部（球状凹部）となっており、各保持凹部２６，３４は、摺動部４１を摺動可能に保持している。また、延出部３３の反第１挟持部材側の端面には、保持凹部３４と連通する開口部３３ａが形成されている。
【００２５】
第２挟持部材３１の反第１挟持部材側の端面は、ガーニッシュＧと当接されている。そして、一対のねじＳがガーニッシュＧと各ねじ挿通孔３２ａ，２７ａに挿通されるとともに、そのねじＳに第１挟持部材２４の反第２挟持部材側からナットＮが螺着される。これにより、第１及び第２挟持部材２４，３１がガーニッシュＧの内側に締結固定され、これにより、カメラ用ノズル２０が車体Ｐの後部に設けられたガーニッシュＧと車体Ｐとの間の空間に配置されるようになっている。また、カメラ１０は、そのベース部１１を含む根本部分がガーニッシュＧにて覆われるとともに、撮像面１３を含む先端部分がガーニッシュＧの開口部Ｇａから突出するように構成されている。このように、ガーニッシュＧによってカメラ用ノズル２０が覆い隠されることで、カメラ用ノズル２０が視認されにくくなっている。
【００２６】
このような固定側部材２１に対し、可動ノズル部材２２は、前記摺動部４１と、摺動部４１に組み付けられたパイプ状のノズル部４２とを有している。摺動部４１は、前述のように、第１及び第２挟持部材２４，３１の各保持凹部２６，３４にて摺動可能に挟持されている。この摺動部４１には、該摺動部４１を貫通する連通路４１ａが形成されており、該連通路４１ａには、ノズル部４２の基端部が挿入固定されている。
【００２７】
ノズル部４２は、第２挟持部材３１の開口部３３ａ及びガーニッシュＧの切り欠き部Ｇｂを介してガーニッシュＧの外部に延出されるとともに、そのノズル部４２の先端部は、カメラ１０の撮像面１３に向けて略直角に屈曲形成されている。そして、この撮像面１３を向くノズル部４２の先端部は、洗浄液Ｗを噴射する噴射口４２ａとなっている。
【００２８】
このようなカメラ用ノズル２０において、固定側部材２１の接続筒部２３には、前記リヤノズル６に向かうホース７ｂの途中でＴジョイントなどにより分岐して接続されたホース７ｃの一端（図１参照）が差し込まれて洗浄液Ｗが導入されるようになっている。尚、ホース７ｃは、車体Ｐにおいてカメラ固定部Ｐａの上側に形成されたホース挿通孔Ｐｂを介してガーニッシュＧと車体Ｐとの間の空間に導入され、接続筒部２３と接続されている。
【００２９】
次に、上記実施形態の作用について説明する。
ポンプ装置４の作動により、洗浄液Ｗがホース７ｃを介して接続筒部２３の導入口２３ａに導入されると、その洗浄液Ｗは、接続筒部２３の流通路２３ｂ及び摺動部４１の連通路４１ａを通ってノズル部４２内に導入される。そして、ノズル部４２の噴射口４２ａからカメラ１０の撮像面１３に向かって噴射され、その洗浄液Ｗによって撮像面１３の雨滴や泥等の異物が洗い流されるようになっている。
【００３０】
ここで、可動ノズル部材２２は、摺動部４１とノズル部４２とが一体に動作可能に固定側部材２１に組み付けられているため、噴射口４２ａの向き（洗浄液Ｗの噴射方向）が調整可能となっている。この可動ノズル部材２２の調整可能範囲は、開口部３３ａ内でのノズル部４２の可動範囲であり、その調整可能範囲内において摺動部４１の連通路４１ａは常に接続筒部２３の流通路２３ｂと連通するようになっている。
【００３１】
このような構成によれば、図４に示すように、図２のカメラ１０とは形状、サイズ又は組み付け角度等が異なるカメラ１０ａにカメラ用ノズル２０を適用する場合に、可動ノズル部材２２を動かして噴射口４２ａの向きをカメラ１０ａの撮像面１３に向かせるように調整することが可能となっている。尚、図４では、図２に示す構成に対して、摺動部４１を軸として可動ノズル部材２２を反カメラ方向に回動調整した構成を一例として示している。このような構成によれば、形状、サイズ又は取付角度等によって撮像面１３の位置や向きが異なる種々の車載カメラに対して、同一のカメラ用ノズル２０を適用可能となり、汎用性を向上させることが可能となっている。
【００３２】
尚、可動ノズル部材２２の摺動部４１は、ねじＳとナットＮの締結力にて第１及び第２挟持部材２４，３１に挟持されており、車体Ｐ側からの振動や洗浄液Ｗの噴射の勢い等によって容易に位置ずれが生じないように設定されている。
【００３３】
次に、本実施形態の特徴的な効果を記載する。
（１）カメラ用ノズル２０は、洗浄液Ｗが導入される導入口２３ａと、該導入口２３ａから導入された洗浄液Ｗを案内する流通路２３ｂとを有する固定側部材２１を備える。また、カメラ用ノズル２０は、流通路２３ｂと連通された連通路４１ａを有し、その連通状態を保持したまま固定側部材２１に対して摺動可能に設けられた摺動部４１と、摺動部４１と一体に動作可能であり、連通路４１ａを介して送給された洗浄液Ｗを噴射する噴射口４２ａを有するノズル部４２とを有する可動ノズル部材２２とを備える。即ち、可動ノズル部材２２は、摺動部４１とノズル部４２とが一体に動作可能に構成され、その摺動部４１は固定側部材２１に対して摺動可能に組み付けられるため、洗浄液Ｗを噴射するノズル部４２の噴射口４２ａの向きが車載カメラ１０の撮像面１３を向くように調整することが可能となる。これにより、形状やサイズ等によって撮像面１３の位置が異なる種々の車載カメラ１０に対して、可動ノズル部材２２の位置調整を行って洗浄液Ｗの噴射方向を変更することで、同一のカメラ用ノズル２０を適用可能となり、汎用性を向上させることが可能となる。
【００３４】
（２）ノズル部４２は、摺動部４１から撮像面１３に向けて延出され先端部に噴射口４２ａを有するパイプ状に形成される。このため、可動ノズル部材２２の噴射口４２ａの向きを変えるとき、パイプ状のノズル部４２を摘んで動かすことが可能となり、その結果、洗浄液Ｗの噴射方向を容易に変更することができる。
【００３５】
（３）ノズル部４２は、摺動部４１とは別部材で構成されるため、例えば、車載カメラ１０の形状やサイズ等によって洗浄液Ｗを撮像面１３に好適に噴射できない場合に、ノズル部４２だけを変更し、固定側部材２１や摺動部４１は共用して利用することが可能となり、その結果、設計変更の手間を省くことができる。
【００３６】
（４）固定側部材２１は、その少なくとも一部が車体Ｐに設けられたガーニッシュＧと車体Ｐとの間に形成される空間に配置される。これにより、カメラ用ノズル２０の少なくとも一部がガーニッシュＧにて覆われる構成となるため、機能的で意匠性に乏しくなりがちなカメラ用ノズル２０が視認されにくくなり、車体Ｐの外観意匠が損なわれることを抑制することができる。
【００３７】
（５）固定側部材２１がガーニッシュＧに固定されるため、車体Ｐ側に固定する構成と比べて固定側部材２１を容易に組み付けることができる。
（６）摺動部４１は球状をなし、固定側部材２１に設けられた球状凹部（各保持凹部２６，３４）に摺動可能に嵌め合わされるため、固定側部材２１に対する摺動部４１の摺動方向（即ち、可動ノズル部材２２の調整方向）が１つの方向に縛られず、向き調整の自由度が向上されるため、より多種の車載カメラ１０に対応した可動ノズル部材２２の噴射方向の調整が可能となる。
【００３８】
尚、本発明の実施形態は、以下のように変更してもよい。
・ガーニッシュＧに対するカメラ用ノズル２０の固定構造を、例えば図５に示すように変更してもよい。図５に示す構成では、固定側部材５１は、ガーニッシュＧに固定された固定部５２と、固定部５２の内側に形成された球状凹部５３と、固定部５２からガーニッシュＧ内側に延出され、内部の流通路２３ｂが球状凹部５３と連通する接続筒部２３とを有している。固定部５２には、ガーニッシュＧの端部が嵌め込まれるスリット部５２ａが形成されており、そのスリット部５２ａに嵌め込まれたガーニッシュＧと固定部５２とは、ガーニッシュＧの内側から締結されたねじ５４にて固定されている。一方、可動ノズル部材２２は、上記実施形態と同様の構成であり、その摺動部４１は、固定側部材５１の球状凹部５３に摺動可能に組み付けられており、これにより、可動ノズル部材２２の位置調整が可能となっている。
【００３９】
このような構成では、上記実施形態と略同様の作用及び効果を得ることができる。更に同構成では、ねじ５４がガーニッシュＧの内部に配置されるため、ねじ５４が視認されないように構成でき、更には、ガーニッシュＧにねじ５４の挿通のための挿通孔をもうけなくてもよく、その結果、カメラ用ノズル２０付近の外観意匠性を向上させることが可能となる。
【００４０】
・上記実施形態では、第１挟持部材２４と第２挟持部材３１とが別部材で構成されたが、これに特に限定されるものではなく、同一部材で一体形成してもよい。
・上記実施形態では、カメラ用ノズル２０の固定側部材２１がガーニッシュＧに固定されたが、これ以外に例えば、車体Ｐ（ボディパネル）に固定してもよい。
【００４１】
・上記実施形態の可動ノズル部材２２では、摺動部４１とノズル部４２とが別部材で構成されているが、これに特に限定されるものではなく、摺動部４１とノズル部４２とを同一部材により一体形成してもよい。
【００４２】
・固定側部材５１に対する可動ノズル部材２２の動作態様は上記実施形態のものに限定されるものではなく、例えば、固定側部材に対して可動ノズル部材を接続筒部２３の長手方向にスライド可能として伸縮調整可能な構成としてもよい。
【００４３】
・上記実施形態の撮像面１３は、レンズで構成されていてもよいし、レンズで構成されていなくてもよい。
・上記実施形態では、カメラ１０は、撮像面１３が後方下部を撮像するように傾斜配置されたが、これに特に限定されるものではなく、例えば、撮像面１３が上方を向くように構成してもよい。
【００４４】
・上記実施形態のカメラ用ノズル２０において、ポンプ装置４の停止状態で噴射口４２ａからの洗浄液Ｗの漏れを防止するためのチェックバルブを設けてもよい。
・上記実施形態では、リヤノズル６側に向かうホース７ｂから単にホース７ｃを分岐させてカメラ用ノズル２０に接続し、リヤノズル６での洗浄液Ｗの噴射と同時にカメラ用ノズル２０での洗浄液Ｗの噴射が実施される構成としたが、これに特に限定されるものではない。例えば、リヤノズル６とカメラ用ノズル２０とでポンプ装置４を個々に設けたり、リヤノズル６とカメラ用ノズル２０との流路を切り替える切替バルブ等を用いて、それぞれ独立して作動するようにしてもよい。
【００４５】
・上記実施形態では、後方視認用のカメラ１０を洗浄するカメラ用ノズル２０に適用したが、側方視認用のサイドビューカメラや前方視認用のフロントビューカメラ等、その他の車載カメラを洗浄するカメラ用ノズルに適用してもよい。
【符号の説明】
【００４６】
１０…車載カメラ、１３…撮像面、２０…車載カメラ用ウォッシャノズル、２１，５１…固定側部材、２２…可動ノズル部材、２３ａ…導入口、２３ｂ…流通路、２６，３４…球状凹部を構成する保持凹部、４１…摺動部、４１ａ…連通路、４２…ノズル部、４２ａ…噴射口、５３…球状凹部、Ｇ…ガーニッシュ、Ｐ…車体、Ｗ…洗浄液。
【図１】
2013018404.tif 000003
【図２】
2013018404.tif 000004
【図３】
2013018404.tif 000005
【図４】
2013018404.tif 000006
【図５】
2013018404.tif 000007
【手続補正書】
【提出日】平成23年8月10日(2011.8.10)
【手続補正２】
【補正対象書類名】明細書
【補正対象項目名】０００１
【補正方法】変更
【補正の内容】
【０００１】
本発明は、車載カメラ用ウォッシャノズルに関するものである。
【手続補正３】
【補正対象書類名】明細書
【補正対象項目名】０００６
【補正方法】変更
【補正の内容】
【０００６】
本発明は、上記課題を解決するためになされたものであって、その目的は、汎用性を向上させることが可能な車載カメラ用ウォッシャノズルを提供することにある。